(57)【特許請求の範囲】
【請求項１】
グリップ内に保持される第１の部分であって、ロープを係止する係止部材を内部で保持可能な第１の部分と、第１の部分に一体に形成されるとともに、グリップから突出する第２の部分と、第１の部分及び第２の部分に連通するとともに、ロープを挿通可能な挿通孔とを備え、
前記挿通孔は、前記第１の部分に形成されるとともにロープを挿通可能な第１挿通口と、第２の部分に形成されるとともにロープを挿通可能な第２挿通口とを備え、
前記第２挿通口は、第１の部分の中心軸線に対して所定の角度で交差する方向に向かって開口するように形成されており、
前記第１の部分の中心軸と前記グリップの中心軸とがほぼ一致しているとともに、前記第１挿通口の中心がグリップの中心軸上に位置し、
前記第１の部分は、グリップの中心軸方向に間隔をあけて配置され、且つグリップから抜け外れないように当該第１の部分を係止するグリップの二つの係止部に係止されるべく、前記第２の部分が挿通されるグリップの孔側の端部に位置する一方の係止部に当接する曲面状の第１当接部と、グリップの中途部に位置する他方の係止部に当接する第２当接部であって、外周が曲面状に形成され、前記他方の係止部に対してグリップの径方向に当接可能に構成されたフランジ状の第２当接部とを備えることを特徴とするトビナワの回転子。
【請求項２】
前記第２挿通口は、第１の部分の中心軸線に対して、８０°以上で１８０°より小さい角度で交差する方向に向かって開口するように構成されてなる請求項１に記載のトビナワの回転子。
【請求項３】
前記第１の部分は、直線状の筒形状に構成されていることを特徴とする請求項１または２に記載のトビナワの回転子。
【請求項４】
前記第２の部分は、全体が直線状の円筒形状に構成されていることを特徴とする請求項１から３のいずれか１項に記載のトビナワの回転子。
【請求項５】
ロープと、請求項１から４のいずれか１項に記載の回転子と、該回転子を保持するとともにロープの端部に設けられるグリップと、を備えてなることを特徴とするトビナワ。
【請求項６】
ロープと、請求項１から４のいずれか１項に記載の回転子と、該回転子を保持するとともにロープの端部に設けられるグリップと、回転子における第１の部分の内部に挿入されてロープを係止する筒状の係止部材とを備え、
前記係止部材は、その筒心方向の一端部に形成される複数の係止爪と、その側部に形成される溝部と、その側部において半径方向外方に突出する突起部とを備え、
前記係止爪は、溝部を介して間隔をおいて配置されるとともに、ロープを係止すべく、係止部材における半径方向内方に向かって突出して形成され、
前記突起部は、係止部材が回転子における第１の部分の内部に挿入されたときに、第１の部分の内面に圧接するように突出することを特徴とするトビナワ。
【発明の詳細な説明】
【技術分野】
【０００１】
本発明は、例えば、トビナワの回転子及びトビナワに関する。
【背景技術】
【０００２】
現在市販されているトビナワ（跳び縄）としては、ロープと、ロープの端部に設けられるグリップとの間に、回転子を介在させて、運動の際に、ロープが回転子とともにグリップに対して回転するように構成されたものが一般的である（例えば特許文献１等参照）。
【０００３】
このように構成されることにより、トビナワは、運動中にロープにねじれ等が発生することがなく、快適に使用することができる。
【先行技術文献】
【特許文献】
【０００４】
【特許文献１】特開平５−２００１３０号公報
【特許文献２】実開平６−２１６５４号公報
【発明の概要】
【発明が解決しようとする課題】
【０００５】
トビナワ運動（競技）は、従来の遊びという概念から、近年では高度な技を競うスポーツとして発展してきており、より快適に運動を行えるようなトビナワの開発が望まれている。
【０００６】
例えば図９に示すように、従来のトビナワ１００を使用する場合には、グリップ１０１の軸心方向に対するロープ１０２の傾斜角度（θ）が大きくなり、回転子１０３と、これを係止するグリップ１０１との間に摩擦力が作用する場合がある。この摩擦力が大きくなると、回転子が回転し難くなり、運動の際に運動する者への負担となるおそれがある。
【０００７】
このことから、回転子がさらに回転しやすくなれば、運動の快適性を一層向上させることができると考えられる。
【０００８】
本発明は、このような事情に鑑みてなされたものであり、運動中に回転しやすい回転子及びこの回転子を用いたトビナワを提供することを課題とする。
【課題を解決するための手段】
【０００９】
本発明に係るトビナワの回転子は、上記の課題を解決するためのものであって、グリップ内に保持される第１の部分であって、ロープを係止する係止部材を内部で保持可能な第１の部分と、第１の部分に一体に形成されるとともに、グリップから突出する第２の部分と、第１の部分及び第２の部分に連通するとともに、ロープを挿通可能な挿通孔とを備え、前記挿通孔は、前記第１の部分に形成されるとともにロープを挿通可能な第１挿通口と、第２の部分に形成されるとともにロープを挿通可能な第２挿通口とを備え、前記第２挿通口は、第１の部分の中心軸線に対して所定の角度で交差する方向に向かって開口するように形成されており、前記第１の部分の中心軸と前記グリップの中心軸とがほぼ一致しているとともに、前記第１挿通口の中心がグリップの中心軸上に位置し、前記第１の部分は、グリップの中心軸方向に間隔をあけて配置され、且つグリップから抜け外れないように当該第１の部分を係止するグリップの二つの係止部に係止されるべく、前記第２の部分が挿通されるグリップの孔側の端部に位置する一方の係止部に当接する曲面状の第１当接部と、グリップの中途部に位置する他方の係止部に当接する第２当接部であって、外周が曲面状に形成され、前記他方の係止部に対してグリップの径方向に当接可能に構成されたフランジ状の第２当接部とを備えることを特徴とする。
【００１０】
かかる構成によれば、グリップから突出する回転子の第２の部分の第２挿通口が第１の部分の中心軸線に対して所定の角度で交差する方向に開口していることから、この挿通孔を通じて第２挿通口から出るロープは、この第２挿通口によって回転子に対する角度が規制され、結果として、運動時にグリップに対して所定の角度で曲がるように規制されることとなる。これによって、回転子とグリップとの間に作用する摩擦力を可及的に軽減し、運動時に回転子が回転しやすくなり、運動を行い易くなる。
【００１１】
また、本発明に係るトビナワの回転子は、前記第２挿通口が、第１の部分の中心軸線に対して、８０°以上で１８０°より小さい角度で交差する方向に向かって開口するように構成されることが望ましい。
【００１３】
また、本発明に係るトビナワの回転子によれば、前記第１の部分は、直線状の筒形状に構成されていることが望ましい。
【００１４】
また、本発明に係るトビナワの回転子によれば、前記第２の部分は、全体が直線状の円筒形状に構成されていることが望ましい。
【００１５】
また、本発明に係るトビナワは、ロープと、上記のいずれかの回転子と、該回転子を保持するとともにロープの端部に設けられるグリップと、を備えてなることを特徴とする。
また、本発明に係るトビナワは、ロープと、上記のいずれかの回転子と、該回転子を保持するとともにロープの端部に設けられるグリップと、回転子における第１の部分の内部に挿入されてロープを係止する筒状の係止部材とを備え、前記係止部材は、その筒心方向の一端部に形成される複数の係止爪と、その側部に形成される溝部と、その側部において半径方向外方に突出する突起部とを備え、前記係止爪は、溝部を介して間隔をおいて配置されるとともに、ロープを係止すべく、係止部材における半径方向内方に向かって突出して形成され、前記突起部は、係止部材が回転子における第１の部分の内部に挿入されたときに、第１の部分の内面に圧接するように突出することを特徴とする。
【００１６】
かかる構成によれば、上記の回転子を使用することで、回転子とグリップとの間に作用する摩擦力を可及的に軽減し、運動時に回転子が回転しやすくなり、運動を行い易くなる。
【発明の効果】
【００１７】
本発明によれば、運動中に回転しやすい回転子及びこの回転子を用いたトビナワを提供できるようになる。
【図面の簡単な説明】
【００１８】
【図１】（ａ）は本発明の実施形態に係るトビナワ（回転子）の部分側面図を示し、（ｂ）は回転子の側面図を示し、（ｃ）は回転子の底面図を示す。
【図２】（ａ）はロープを係止する係止部材の側面図を示し、（ｂ）は係止部材の平面図を示す。
【図３】（ａ）及び（ｂ）は、それぞれ別個の回転子の他の例を示す側面図である。
【図４】（ａ）及び（ｂ）は、それぞれ別個の回転子の他の例を示す側面図である。
【図５】本発明の効果を確認するための試験に関するグラフである。
【図６】本発明の効果を確認するための試験に関するグラフである。
【図７】本発明の効果を確認するための試験に関するグラフである。
【図８】本発明の効果を確認するための試験に関するグラフである。
【図９】従来のトビナワを示す側面図である。
【発明を実施するための形態】
【００１９】
以下、本発明を実施するための形態について図面を参照しながら説明する。図１、図２に示すように、トビナワ１は、ロープ２と、ロープ２の端部に設けられるグリップ３と、グリップ３に保持されるとともにロープ２の動きに応じて回転する回転子４と、回転子４の内部に挿入されてロープ２を係止する係止部材５と、を備える。
【００２０】
ロープ２は、ゴム又は熱可塑性エラストマーその他の種々の材料(例えばポリウレタン、ＰＶＣ、ポリ塩化ビニリデン、縄等)によって、所定の太さ（例えば直径が２ｍｍ〜１０ｍｍ程度）及び所定の長さ（例えば１．５〜３ｍ程度）に形成される。ロープ２の断面は円形に構成されるが、これに限らず、楕円、多角形その他の種々の断面形状であってもよい。
【００２１】
グリップ３は、例えば、ポロプロピレン、ポリエチレン、ＡＢＳ、ポリアセタール、ポリアミド、ＡＥＳ、ＳＢＳ、ＰＣ等の樹脂や木材その他の種々の材料によって筒状（中空状）に形成される。図１（ａ）に示すように、グリップ３は、その長手方向の一端部側の内面に、回転子４を係止する係止部６（６ａ，６ｂ）と、回転子４の一部を挿通するための孔３ａとを有する。
【００２２】
より具体的には、グリップ３には、２つの係止部（以下、一方を「第１係止部」、他方を「第２係止部」という）６ａ，６ｂが設けられている。第１係止部６ａは、グリップ３の一端部に形成される前記孔（円形孔）３ａの縁部である。この第１係止部６ａは、グリップ３の一端部が、中途部よりも縮径されてグリップ３の内面に形成されている。第２係止部６ｂは、グリップ３の中途部の内面に突起状に形成される。
【００２３】
回転子４は、例えば、ポロプロピレン、ポリエチレン、ＡＢＳ、ポリアセタール、ポリアミド、ＡＥＳ、ＳＢＳ、ＰＣ等の樹脂や木材その他の種々の材料によって筒状（中空状）に形成される。図１（ａ）、（ｂ）に示すように、グリップ３の内部でこのグリップ３に保持される第１の部分７と、第１の部分７に一体に形成されるとともに、グリップ３から突出する第２の部分８と、第１の部分７及び第２の部分８に連通するとともに、ロープ２を挿通可能な挿通孔９とを備える。
【００２４】
第１の部分７は、直線状の筒形状（例えば円筒形状）に構成されている。第１の部分７の外径は、この第１の部分７がグリップ３の一端部に形成されている孔３ａから抜けはずれないように、この孔３ａの直径よりも大きく設定されている。
【００２５】
第１の部分７は、その外面に、グリップ３の第１係止部６ａに当接する第１当接部１０と、グリップ３の第２係止部６ｂに当接する第２当接部１１とを有する。回転子４は、第１の部分７は、第１当接部１０がグリップ３の第１係止部６ａに当接して係止され、第２当接部１１が第２係止部６ｂに当接して係止されることによって、グリップ３から抜けはずれることがないようにこのグリップ３内に保持される。
【００２６】
第１当接部１０は、第１の部分７において、その軸心方向の一端部に形成されている。これにより、第１当接部１０は、グリップ３の第１係止部６ａに当接した状態で、第１の部分７の軸心（中心軸線Ｘ１）周りに回転可能に構成される。しかも、この第１当接部１０がグリップ３の第１係止部６ａに当接した状態において、第１の部分７は、その中心軸線Ｘ１が、グリップ３の中心軸線Ｘとほぼ一致した状態で、グリップ３に保持される。さらに、この第１当接部１０は、グリップ３の第１係止部６ａと当接した状態で、トビナワ１の使用時に摩耗し難くするために、曲面状に構成されている。
【００２７】
第２当接部１１は、第１の部分７の軸心方向の他端部に形成されている。この第２当接部１１は、第１の部分７の半径方向（軸心方向に直交する方向）に突出するフランジ部である。
【００２８】
第２の部分８は、第１の部分７に対して所定の方向に突出する突出部である。この第２の部分８は、第１の部分７に一体に形成されるとともに、この第１の部分７の軸心方向に沿って突出する第１突出部１２と、この第１突出部１２に一体に形成されるとともに、この第１突出部１２に対して所定の方向に突出する第２突出部１３とを有する。
【００２９】
第１突出部１２は、直線状の筒形状（例えば円筒形状）に構成され、第１の部分７と第２突出部１３との間に設けられている。この第１突出部１２は、その中心軸線Ｘ２が、第１の部分７の中心軸線Ｘ１と一致するように、すなわち第１の部分７と同心状に形成されている。
【００３０】
第１突出部１２の外径は、第１の部分７の外径よりも小さく、そして、グリップ３の一端部に形成される円形の孔３ａの径よりも小さく構成されている。これにより、第１突出部１２は、この孔３ａに挿通可能に構成される。
【００３１】
第２突出部１３は、所定の曲率半径による円弧状の筒形状に構成されている。これにより、第２突出部１３は、第１突出部１２に対して傾斜した状態で、この第１突出部１２から突出して形成されている。
【００３２】
挿通孔９は、断面の周縁が円形の孔として、第１の部分７と第２の部分８に連通して形成される。挿通孔９の径については、第１の部分７に対応する部分の径が、第２の部分８に対応する部分の径よりも大きく設定されている。これは、第１の部分７の内部に係止部材５が挿通されるため、その分だけ径を大きくする必要があるからである。
【００３３】
挿通孔９は、前記第１の部分７に形成されるとともにロープ２を挿通可能な第１挿通口９ａと、第２の部分８に形成されるとともにロープ２を挿通可能な第２挿通口９ｂとを備える。
【００３４】
第１挿通口９ａは、第１の部分７において第２当接部１１が形成されている側の端部に形成されている。この第１挿通口９ａには、係止部材５とともにロープ２が挿通される。第１挿通口９ａは、第１の部分７の円筒形状に応じて、その周縁が円形に構成されている。
【００３５】
第２挿通口９ｂは、第２突出部１３の端部（第１突出部１２と一体にされる端部とは反対の端部）に形成されている。この第２挿通口９ｂは、図１（ｂ）に示すように、その周縁が楕円形に構成されている。この楕円形の第２挿通口９ｂは、その中心が、第２突出部１３の中心軸線上に位置するように構成されている。
【００３６】
また、この第２挿通口９ｂは、第１の部分７の中心軸線Ｘ１に対して所定の角度Φで交差する方向に向かって開口するように形成されてなる。ここで、「所定の角度で交差する」とは、図１（ａ）に示すように、第２挿通口９ｂの中心位置で、第２突出部１３の中心軸線に対して接線Ｘ３を引いたときに、この接線Ｘ３が第１の部分７の中心軸線Ｘ１に対して所定の角度Φで交差することをいう。また、回転子４がグリップ３に保持されていることから、回転子４の第１の部分７の中心軸線Ｘ１とグリップ３の中心軸線Ｘとが一致している場合には、第２挿通口９ｂは、このグリップ３の中心軸線Ｘに対して「所定の角度で交差する」ということができる。
【００３７】
この交差角度Φについては、例えば、８０°以上で１８０°よりも小さくされることが好ましく、より好ましくは、１１０°以上１６０°以下であり、最も好ましいのは、１３０°以上１６０°以下である。
【００３８】
上記の角度Φの範囲については、以下の点が考慮されている。すなわち、跳躍中においては、グリップ３とロープ２の角度が所定の角度を為すが、この角度は、８０°から１３０度の間で変化する。そのため、この角度が８０度以下になるとロープ２が大きく逆折れ（第２挿通口９ｂに関する前記交差角度Φよりもロープ２がグリップ２に対して大きく曲がること）してしまう。この点から、前記交差角度Φは、８０°以上であることが好ましい。また、交差角度Φが８０°と１３０°との間では跳躍中に小さな順折れと逆折れが生じる場合がある。したがって、交差角度Φが１３０°以上とされるのが最も望ましい。少しでも角度が付くことによって効果が期待できるので、前記交差角度Φは、１８０度より小さければよい。また、人の手首の間接の可動範囲（角度）の点から、前記交差角度Φが１６０度以下であればロープ２を垂直に下ろしやすくなる。以上のことから、前記交差角度Φは、８０°以上で、１８０°より小さければ効果があり、より好ましくは８０°から１６０°、もっとも好ましいのは１３０°以上１６０°以下となる。
【００３９】
また、ユーザー使用時に誤って抜けてしまったときなどに、前記交差角度Φが１３０°よりも小さくなると回転子４にロープ２を通すのが困難になることも考えられ、この点を踏まえると交差角度Φが、１３０°以上１６０°以下であることが、トビナワ１の製造の観点、またはロープ２の長さ調節の観点から最も好ましいといえる。
【００４０】
係止部材５は、例えば、ポロプロピレン、ポリエチレン、ＡＢＳ、ポリアセタール、ポリアミド、ＡＥＳ、ＳＢＳ、ＰＣ等の樹脂や木材その他の種々の材料によって筒状（例えば円筒状）に形成される。この係止部材５は、図２（ａ）に示すように、筒状（例えば円筒状）に構成されている。また、係止部材５は、その筒心方向の一端部に形成される複数（図例では４つ）の係止爪１５と、その側部に形成される溝部１４と、その側部において半径方向外方に突出する突起部１６とを有する。
【００４１】
図２（ｂ）に示すように、各係止爪１５は、前記溝部１４によって、互いに所定の間隔をおいて離れて形成されている。また、各係止爪１５は、係止部材５の半径方向の内方に向かって突出して形成されている。各係止爪１５は尖端状に形成されており、４つの係止爪１５のうち、２つの係止爪１５が対となって、その先端が互いに対向するように形成されている。このように対向する対の係止爪１５の先端の離間間隔は、ロープ２の直径よりも若干小さく設定されている。
【００４２】
これにより、係止部材５の内側にロープ２が挿通されたときに、係止爪１５は、その先端がこのロープ２の外周面に当接して、係止部材５の半径方向外方に押し広げられる。このように、係止爪１５が押し広げられることにより、係止部材５の一端部が拡径し、これによって、係止部材５が挿入されている第１の部分７の内面（挿通孔９を構成する面）が係止部材５によって押圧される。係止部材５は、これによって生じる第１の部分７の応力と、突起部１６が第１の部分７の内面に圧接等することによって回転子４内で保持されている。
【００４３】
以上説明した本発明に係るトビナワ１によれば、グリップ３から突出する回転子４の第２の部分８の第２挿通口９ｂが第１の部分７の中心軸線Ｘ１又はグリップ３の中心軸線Ｘに対して所定の角度Φで交差する方向（接線Ｘ３に沿う方向）に向かって開口していることから、この挿通孔９を通じて第２挿通口９ｂから出るロープ２は、この第２挿通口９ｂによって回転子４及びグリップ３に対して為す角度が規制される。その結果として、運動時にグリップ３に対して所定の角度で曲がるように規制されることとなる。これによって、トビナワ１は、回転子４とグリップ３との間に作用する摩擦力を可及的に軽減し、運動時に回転子４が回転しやすくなり、運動を行い易くなる。
【００４４】
図３、図４は本発明に係る回転子４の変形例を示す。図３、図４の示す変形例は、第２の部分８が図１の実施形態のものと相違する。以下、この相違点を中心にそれぞれの変形例について説明する。
【００４５】
図１で例示した回転子４は、第２の部分８が直線状の第１突出部１２と円弧状の第２突出部１３を有していたが、図３（ａ）に示す変形例では、回転子４の第２の部分８は、第１突出部１２のような直線状の部分を有しておらず、その全体が円弧状に構成された突出部となっている。
【００４６】
図１で例示した回転子４は、第２の部分８が直線状の第１突出部１２と円弧状の第２突出部１３とを有し、第１突出部１２の中心軸線Ｘ２が第１の部分７の中心軸線Ｘ１と一致した例を示したが、図３（ｂ）に例示する回転子４は、第２の部分８全体が、直線状の円筒形状に形成されており、その中心軸線Ｘ２が第１の部分７の中心軸線Ｘ１と一致していない。より具体的には、第２の部分８の中心軸線Ｘ２が第１の部分７の中心軸線Ｘ１に対して所定の角度Φで交差するように傾斜して形成されている。これにより、第２の部分８の端部に形成される第２挿通口９ｂは、第１の部分７の中心軸線Ｘ１又はグリップ３の中心軸線（Ｘ）に対して所定の角度Φで交差する方向（中心軸線Ｘ２に沿う方向）に向かって開口することとなる。
【００４７】
図１で例示した回転子４は、第２の部分８が直線状の第１突出部１２と円弧状の第２突出部１３とを有していたが、図４（ａ）に例示する回転子４は、第２の部分８の全体が直線状の円筒形状に構成されるとともに、その側面に１つの第２挿通口９ｂが形成された構成となっている。また、回転子４は、図４（ｂ）に例示するように、直線状の円筒形状に構成された第２の部分８の側面に複数（図例では２つ）の第２挿通口９ｂを形成するようにしてもよい。
【００４８】
図４（ｂ）において、第２の部分８に形成されている２つの第２挿通口９ｂは、第２の部分８の側壁部に貫通して形成される貫通孔である。このうち、図４（ｂ）において上側に設けられる第２挿通口９ｂは、貫通孔の内面が、所定の角度Φで傾斜して形成されている。この場合、第２挿通口９ｂに対応する貫通孔の内面の傾斜の角度Φが、本発明における第１の部分７の中心軸線Ｘ１との交差角度、若しくはグリップ３の中心軸線Ｘとの交差角度に相当する。
【００４９】
また、図４（ｂ）に形成される２つの第２挿通口９ｂのうち、下側の第２挿通口９ｂは、これを構成する貫通孔の内面が曲面状に構成されている。
【００５０】
なお、図３、図４の回転子４の変形例と図１の回転子４とが共通する部分には、共通符号を付してその説明を割愛する。また、以上のような図３、図４の変形例においても、図１で例示した回転子４と同様な作用効果を奏する。
【００５１】
出願人は、本発明の作用効果を確認するための試験を行った。図５〜図８は試験に関係するグラフである。この試験を行うにあたり、出願人は、トビナワ１における跳びやすさの指標についての検討を行っている。これについては、まず、同じ材料（例えばポリウレタン（ＰＵ））で構成されるロープ２の直径の異なるトビナワ（例えば、直径２ｍｍ、３．５ｍｍ、５ｍｍのもの）１を用意し、これらを使用して同じ試技者による試技（前方順とび）を行った。そして、この試技者が官能的に跳びやすさを評価した（以下、この評価を「跳びやすさの官能評価」という）。その結果、最も跳びやすいと感じたのが、ロープ２の直径が５ｍｍのもので、次いで３．５ｍｍ、２ｍｍの順に跳びやすいということがわかった。
【００５２】
次に、グリップ３から所定距離離れたロープ２の位置にマーカを取り付け、トビナワ１の試技中におけるこのマーカの位置におけるロープ２の回転速度（角速度）を三次元動作分析装置によって測定・分析した。ここで、ロープ２の回転速度（角速度）の再現性の概念を導入する。再現性とは、トビナワ１の試技におけるロープ２の角速度と平均角速度の差であり、以下の式で定義される。
【数１】
0005711963.tif 000002
【００５３】
トビナワ競技においては、毎回の跳躍が同じレベルで再現されることが求められる。このことから、再現性が高ければ、競技者は、その技量に応じて、毎回の跳躍を同じレベルで表現できるようになる。
【００５４】
図５に所定時間中における角速度の変化を測定した結果を示す。図５（ａ）は、ロープ２の直径が５ｍｍのトビナワ１、図５（ｂ）はロープ２の直径が２ｍｍのトビナワ１の測定結果である。図５（ａ）、（ｂ）では、縦軸に「角速度」、横軸を「規格化時間」とし、複数回の試技を行った結果を示している。なお、図５（ａ）、（ｂ）の横軸である「規格化時間」とは、複数回の試技のそれぞれにかかる時間が異なることから、これらを比較しやすく指標化したものである。各試技にかかる時間が試技ごとに区々であることから、各試技にかかった時間を１００として指標化（規格化）しているのである。
【００５５】
このような測定結果によって、ロープ２の回転速度の再現性を求めた。図６にその結果を示す。図６に示すように、ロープ２の直径が５ｍｍのもの（ＰＵ５）が最もロープ２の回転速度の再現性が高く、次いでロープ２の直径が３．５ｍｍのもの（ＰＵ３．５）の再現性が高く、ロープ２の直径が２ｍｍのもの（ＰＵ２）が最も再現性が低いということがわかった。
【００５６】
この再現性の高さの順は、上記した跳びやすさの官能評価の順と相関関係を有する。そこで、この検討では、再現性と跳びやすさの官能評価との相関性を考慮して、この再現性をトビナワの「跳びやすさ」の一指標として採用した。すなわち、この試験では、再現性が高ければ高い程、トビナワ１は跳びやすい（使いやすい）と判断される。
【００５７】
さらに、グリップ３の端部（回転子４が保持されている側の端部）にもマーカを取り付け、試技中において、このマーカが描く軌跡を三次元動作分析装置によって測定・分析した。トビナワを使用する運動では、このグリップ３の端部は円運動をすることから、このマーカが描く円の軌跡を測定し、この円の面積（ｍ2）を分析により求めた。
【００５８】
その結果を図７に示す。この図７に示すように、グリップ３の端部によって描かれる円の面積は、ロープ２の直径が５ｍｍのもの（ＰＵ５）が最も小さく、次いで、ロープ２の直径が３．５ｍｍのもの（ＰＵ３．５）の面積が小さく、ロープ２の直径が２ｍｍのもの（ＰＵ２）の面積が最も大きいということがわかった。
【００５９】
この面積の大きさの順は、上記した跳びやすさの官能評価の順と相関関係を有する。そこで、この検討では、グリップ３の端部において描かれる円の面積と跳びやすさの官能評価との相関性を考慮して、この面積の大きさをトビナワ１の「跳びやすさ」の一指標として採用した。すなわち、この試験では、この面積が小さい程、トビナワ１は跳びやすい（使いやすい）と判断される。
【００６０】
以上のことを踏まえ、出願人は、本発明の実施例を製作し、本発明の回転子４がトビナワ１の跳びやすさに与える効果について、従来例との比較試験を行った。
【００６１】
試験結果を図８に示す。図８（ａ）に示すように、従来例（図９に例示するトビナワ）と比較して実施例の方がロープ２の回転速度の再現性が高くなることがわかった。また、図８（ｂ）に示すように、従来例と比較して実施例の方がグリップ３の端部が描く円の面積が小さくなることがわかった。このことから、本願発明の回転子４を採用することにより、トビナワ１は、従来よりも跳びやすいものになったといえる。
【００６２】
なお、本発明は上記の実施形態に限らず、種々の変形・変更が可能である。
【００６３】
例えば、上記の実施形態では、第１の部分７と第２の部分８が円筒形状に構成されたものを例示したが、これに限らず、断面の外形が多角形状のものや他の種々の筒形状を採用してもよい。
【００６４】
上記の実施形態では、第１の部分７の外径が第２の部分８の外径よりも大きく形成される回転子４の例を示したが、これに限らず、第１の部分７の外径と第２の部分８の外径と同じにしてもよい。この場合、回転子４がグリップ３から抜けはずれないように、第１の部分７の第１当接部１０をグリップ３の第１係止部６ａに当接するようなフランジ状に構成するとよい。
【符号の説明】
【００６５】
１…トビナワ、２…ロープ、３…グリップ、３ａ…グリップの孔、４…回転子、５…係止部材、６（６ａ，６ｂ）…係止部（第１係止部、第２係止部）、７…第１の部分、８…第２の部分、９…挿通孔、９ａ…第１挿通口、９ｂ…第２挿通口、１０…第１当接部、１１…第２当接部、１２…第１突出部、１３…第２突出部、１４…溝部、１５…係止爪、１６…突起部、１００…トビナワ、１０１…グリップ、１０２…ロープ、１０３…回転子
【図１】
0005711963.tif 000003
【図２】
0005711963.tif 000004
【図３】
0005711963.tif 000005
【図４】
0005711963.tif 000006
【図５】
0005711963.tif 000007
【図６】
0005711963.tif 000008
【図７】
0005711963.tif 000009
【図８】
0005711963.tif 000010
【図９】
0005711963.tif 000011